(57)【要約】  本発明は、駆動回路基板及びそれを備える表示装置を開示している。駆動回路基板は、基板と、前記基板に設置される検測回路及び二つの接続ユニットを含む。前記二つの接続ユニットは、それぞれに前記検測回路の両側に設置される。前記駆動回路基板は、さらに前記検測回路を覆うように前記検測回路の上面に設置される保護層を含む。保護層が設置されると、前記検測回路の回線を腐食や損傷から回避できる。
2020509406.tif 000002
【特許請求の範囲】
【請求項１】
基板（１００）と、
前記基板（１００）に設置される検測回路（２００）と、
前記検測回路（２００）を覆うように前記検測回路（２００）の上面に設置される保護層（３００）と、
を含むことを特徴とする駆動回路基板。
【請求項２】
前記保護層（３００）は有機材料で形成されることを特徴とする請求項１に記載の駆動回路基板。
【請求項３】
前記保護層（３００）の上面は粗い表面領域を含むことを特徴とする請求項１に記載の駆動回路基板。
【請求項４】
前記粗い表面領域は、波紋、複数の窪み、複数の突起、絡み合った溝或はグリッドのいずれか一種または複種の組み合わせであることを特徴とする請求項３に記載の駆動回路基板。
【請求項５】
前記保護層（３００）の上面は、前記粗い表面領域に囲まれ当該上面の中央領域に位置する平坦領域（３０１）を含むこと、を特徴とする請求項３に記載の駆動回路基板。
【請求項６】
前記基板（１００）に設置され平坦層を有する表示領域薄膜トランジスタアレイ（５００）をさらに含み、前記保護層（３００）が当該表示領域薄膜トランジスタアレイ（４１０）と、を一体的に形成されることを特徴とする請求項１〜５のいずれか一項に記載の駆動回路基板。
【請求項７】
前記保護層（３００）は無機材料で形成されること、を特徴とする請求項１〜５のいずれか一項に記載の駆動回路基板。
【請求項８】
前記基板（１００）に、少なくとも一つの前記検測回路（２００）に隣接する接続ユニット（２１０）が設置されることを特徴とする請求項１〜５のいずれか一項に記載の駆動回路基板。
【請求項９】
前記基板（１００）に、前記保護層（３００）の両側に二つの前記接続ユニット（２１０）が設置されていることを特徴とする請求項８に記載の駆動回路基板。
【請求項１０】
前記二つの前記接続ユニット（２１０）は前記保護層（３００）の両側に対称的に設置されていることを特徴とする請求項９に記載の駆動回路基板。
【請求項１１】
前記検測回路（２００）と前記接続ユニット（２１０）は前記基板（１００）の非表示領域（６００）に位置されて、前記検測回路（２００）の何れも一方に、前記基板（１００）の非表示領域（６００）の縁から前記接続ユニット（２１０）側までの距離が、前記接続ユニット（２１０）のその他の側から前記保護層（３００）の前記接続ユニット（２１０）に近接する側までの距離に相等することを特徴とする請求項８に記載の駆動回路基板。
【請求項１２】
非表示領域（６００）及び表示領域（５００）を含む基板（１００）と、
前記基板（１００）の前記非表示領域（６００）に設置される検測回路（２００）と、
前記検測回路（２００）を覆うように前記検測回路（２００）の上面に設置される保護層（３００）と、
前記表示領域（５００）に設置される表示領域薄膜トランジスタアレイ（４１０）と、を備える駆動回路基板を含み、
前記検測回路（２００）が前記表示領域薄膜トランジスタアレイ（４１０）に電気的に接続されることを特徴とする表示装置。
【発明の詳細な説明】
【技術分野】
【０００１】
本発明は表示分野に関し、特に駆動回路基板、及び当該駆動回路基板を備える表示装置に関する。
【背景技術】
【０００２】
表示装置のスクリーン本体において基板の非表示領域に、取付用回路が設置される。取付用回路には、一般的に装置に対する入力パッドと出力パッドを設置され、入力パッドと出力パッドとの間に、外に露出された検測回路が設置される。集積回路チップの入力ピンと出力ピンがそれぞれに前記入力パッドと前記出力パッドに接続されることにより、当該集積回路チップが基板に電気的に接続されるようにする。
【発明の概要】
【発明が解決しようとする課題】
【０００３】
しかしながら、従来技術における検測回路は簡単に損傷されることがよくあり、特に静電破壊されやすい。上記検測回路が損傷されると、スクリーン本体についての判断が間違える可能性がある。これは、スクリーン本体の製造に不利な影響をかかる。
【課題を解決するための手段】
【０００４】
これに鑑みて、回路基板に設置された検測回路が簡単に損傷されることを控えるために、駆動回路基板及び表示装置を提供する必要がある。
【０００５】
本発明の第一の態様に係る駆動回路基板は、基板と、前記基板に設置される検測回路と、前記検測回路を覆うように前記検測回路の上面に設置される保護層とを含む。
【０００６】
本発明の前記態様に係る駆動回路基板によれば、検測回路は保護層で覆われているため、駆動回路の静電気蓄積を回避することができ、検測回路における薄膜トランジスタが損傷されることを回避できる。これで、検測回路が正常状態になることを確保でき、検測回路の損傷によるディスプレー本体の検測結果への影響を回避できるため、ディスプレー本体の製造に寄与する。
【０００７】
一実施例において、前記保護層は有機材料により形成される。
【０００８】
有機材料により形成された保護層が備えられた粘着性は、保護層が前記検測回路を覆って検測回路の表面に固定することに寄与する。また、当該有機材料の強度特性も検測回路の外部応力による損傷を回避することに寄与する。
【０００９】
一実施例において、前記保護層の上面は粗い表面領域を含む。
【００１０】
前記粗い表面領域によれば、集積回路チップと前記保護層との間の接着面積を増大できるとともに、前記集積回路チップと前記保護層の間の接着性も向上させることができる。
【００１１】
一実施例において、前記粗い表面領域の形状は、波紋、複数の窪み、複数の突起、絡み合った溝或はグリッドのいずれか一種または複種の組み合わせである。
【００１２】
複種構造の配合によれば、保護層の接着面積を適応に増加され接着の安定性が向上できる。前記窪みと、前記突起と、前記波紋は、いずれも前記集積回路チップと前記保護層の間の貼付性を向上できる。
【００１３】
一実施例において、前記保護層の上面は、さらに前記粗い表面領域に囲まれ前記上面の中央領域に位置する平坦領域を備える。
【００１４】
前記集積回路チップを前記保護層の表面に接着する際に、保護層の周縁に多めに導電性接着剤を塗布し、保護層の中央領域に少なめに導電性接着剤を塗布すると、集積回路チップが適当に固定されるとともに、保護層のゲート極と対向する中央領域が必要以上に押下されることを回避することができる。
【００１５】
一実施例において、前記駆動回路基板は、前記基板に設置され平坦層を有する表示領域薄膜トランジスタアレイをさらに含み、前記保護層が当該表示領域薄膜トランジスタアレイと、を一体的に形成される。
【００１６】
保護層と前記表示領域薄膜トランジスタアレイの平坦層とを一体的に形成されることにより、工程が減らせることができ、効率も向上させる。
【００１７】
一実施例において、前記保護層は無機材料で形成される。
【００１８】
無機材料は、一定の強度と、一定の耐摩耗性及び耐圧性を有する。
【００１９】
一実施例において、前記基板には、少なくとも一つの前記検測回路に隣接する接続ユニットが設置される。前記検測回路は、前記接続ユニットを介してディスプレー本体に検測信号を送信することができる。
【００２０】
一実施例において、前記基板には、前記保護層の両側に二つの接続ユニットが設置される。好ましくは、前記二つの接続ユニットは、前記保護層の両側に対称的に設置される。
【００２１】
一実施例において、前記検測回路と前記接続ユニットは前記基板の非表示領域に位置されて、前記検測回路の何れも一方に、前記基板の非表示領域の縁から前記接続ユニット側までの距離が、前記接続ユニットのその他の側から前記保護層の前記接続ユニットに近接する側までの距離に相等する。
【００２２】
前記接続ユニット、及び前記保護層が等間隔に配置されることによれば、前記基板に受けられた力の均一性を保持することができ、集積回路チップが圧着される際に受けられた力のばらつきという問題を解決する。
【００２３】
本発明のもう一つの態様に係る表示装置は、非表示領域及び表示領域を含む基板と、前記基板の非表示領域に設置される検測回路と、前記検測回路を覆うように前記検測回路の上面に設置される保護層と、前記基板の表示領域に設置される表示領域薄膜トランジスタアレイとを含む、駆動回路基板を備え、前記検測回路が前記表示領域薄膜トランジスタアレイに電気的に接続される。
【発明の効果】
【００２４】
前記検測回路の上面にある保護層によれば、前記検測回路は安定された作動性能を有し、表示装置が正常作動の際に検測回路の損傷によって表示装置の使用への影響を回避でき、表示装置の使用期限を延ばせることができる。
【図面の簡単な説明】
【００２５】
【図１】本発明の一実施例に係る表示装置の構造概略図である。
【図２】本発明の一実施例に係る駆動回路基板の断面概略図である。
【図３】本発明の一実施例に係る駆動回路基板において保護層と接続ユニットとの位置関係の概略図である。
【図４】本発明の一実施例に係る保護層の表面構造の概略図である。
【図５】本発明のその他の実施例に係る保護層の表面構造の概略図である。
【図６】本発明の一実施例に係る保護層の波紋状表面構造の概略図である。
【発明を実施するための形態】
【００２６】
本発明の目的、技術案、及び技術的効果をより明白になるために、以下は図面を参照して本発明の具体的な実施例を記述する。以下に記載された本発明の具体的な実施例は、本発明について説明のために示されているのであって、本発明をそれらに限定するものではないことが、当業者にとって明らかである。
【００２７】
図１において、本発明の一実施例においての表示装置３０が示されている。図１に示すように、表示装置３０は、駆動回路基板１０と、駆動回路基板１０に設置されるデータ駆動回路２０、走査駆動回路４０及び表示領域薄膜トランジスタアレイ４１０を含む。表示領域薄膜トランジスタアレイ４１０は、データ駆動回路２０及び走査駆動回路４０にそれぞれで電気的に接続される。データ駆動回路２０と走査駆動回路４０は、表示領域薄膜トランジスタアレイ４１０の作動を制御することができる。駆動回路基板１０に、表示領域５００と、非表示領域６００がある。表示領域薄膜トランジスタアレイ４１０が表示領域５００に位置させる。非表示領域６００には、検測回路（未図示）を覆うように設置される保護層３００と、保護層３００の両側に設置される接続ユニット２１０を含む。
【００２８】
図２において、本発明の一実施例においての駆動回路基板１０が示されている。駆動回路基板１０は、基板１００と、基板１００に設置される検測回路２００と、検測回路２００を覆うように検測回路２００の上面に設置される保護層３００とを含む。図１にもめればわかるように、検測回路２００は非表示領域６００に設置される。
【００２９】
基板１００は、ガラス基板であってもよく、可撓性プラスチック基板であってもよい、あるいは一定強度の有機材料で形成されてもよい。
【００３０】
一実施例において、駆動回路基板１０は、さらに基板１００の上面に設置され、非表示領域６００に位置される二つの接続ユニット２１０を含む。前記二つの接続ユニット２１０それぞれが、検測回路２００に隣接して当該検測回路２００の両側に設置される。二つの接続ユニット２１０は作動する際に、集積回路チップの入力パッドと出力パッドとして機能する。
【００３１】
一実施例において、集積回路チップ（未図示）が入力ピンと出力ピンを介して入力パッドと出力パッドにそれぞれ電気的に接続され、検測回路２００の上方に位置されてもよい。このように、集積回路チップは、入力パッド、出力パッド、入力ピン、及び出力ピンを介して駆動回路基板１０と通信し、さらに表示装置３０を制御する。一実施例において、接続を補強するとともに集積回路チップを上から検測回路２００に安定的に固定するため、入力パッド、出力パッド、入力ピン、及び出力ピンのそれぞれの間に導電性接着剤が塗布される。上記集積回路チップの具体的な作動手順は当業者にとって周知なことであるため、ここでは説明しない。
【００３２】
一実施例において、前記二つの接続ユニット２１０は、検測回路２００の両側に対称的に設置される。前記二つの接続ユニット２１０が検測回路２００両側に対称的に設置されることによれば、圧着する際に集積回路チップに受けられた力の均一性を保持することができ、チップの圧着効果を確保でき、よって基板１００の使用期限を延ばせることができる。さらに好ましい実施例において、図３に示すように、非表示領域６００の縁６０１、６０２から接続ユニット２１０の相応する側までの距離ａ、ｄ、及び前記二つの接続ユニット２１０から前記保護層３００の相応する縁までの距離ｂ、ｃが互いに相等する。即ちａ＝ｂ＝ｃ＝ｄである。非表示領域６００の縁６０１、６０２が有機接着層の縁であってもよく、好ましくは、保護層３００と共に形成される。前記接続ユニット２１０及び前記保護層３００が等間隔に配置されることによれば、前記基板１００に受けられた力の均一性を保持し、受けられた力のばらつきにより基板１００の損傷をより効果的に回避することができる。
【００３３】
前記検測回路２００は、ディスプレー本体が正常に表示しているか否かを検測することに用いられる。検測回路２００は、ディスプレー本体の通信回線及び／またはディスプレー本体のピクセルが損傷されたかどうかことを検測することができる。図２に示すように、検測回路２００は、ソース２３１と、ドレイン２３２と、ゲート２３３を含む薄膜トランジスタ２３０と、関連回路とを含くまれてもよい。前記検測回路２００を経由してディスプレー本体に検測信号を入力することができる。検測回路２００は、検測ユニットを含くまれてもよい。前記検測ユニットは、複数の信号チャネルを経由して薄膜トランジスタ２３０に接続されてもよい。検測回路２００は、前記検測ユニットがゲート２３３にゲートターンオン電圧を供給してソース２３１とドレイン２３２をターンオンされると、薄膜トランジスタ２３０が作動するによる作動する。そして、前記検測ユニットは、薄膜トランジスタ２３０に介してディスプレー本体に検測信号を入力し、ディスプレー本体の通信回線とピクセルが損傷されたかどうかことを検測する。
【００３４】
検測回路２００における薄膜トランジスタ２３０及び導電線が正常していることを確保するために、検測回路２００が形成された後、上方から検測回路２００を覆うように保護層３００を形成する。前記保護層３００は、検測回路２００を保護することに用いられる。例えば、保護層３００は、検測回路２００を外部環境から電気的に絶縁するようにすることによって、検測回路２００における薄膜トランジスタ２３０に静電気蓄積を回避できる。よって薄膜トランジスタ２３０が静電破壊されることを回避する。静電破壊が検測回路２００を損傷して、その後の工程が問題になる。例えば、検測回路２００が静電破壊されると、ディスプレー本体の検測結果に影響して、ディスプレー本体が正常しているかどうかを正確に判断できないこともある。したがって、その後の工程には、さらに複雑な複験工程による欠陥品と誤って判断された良品を見つけることが必要になる。また、保護層３００は、検測回路２００を予想外の腐食から回避することもでき、検測期間に検測回路２００が正常に作動していることを確保することができる。
【００３５】
一実施例において、前記保護層３００は有機材料または無機材料で形成されてもよい。さらに好ましい実施例において、保護層３００は、前記表示領域５００の平坦層と同じ材料で形成されてもよい。さらにその他の実施例において、保護層３００はＳｉＯｘ膜またはＳｉＮｘ膜であってもよい。保護層３００が有機材料で形成される場合、保護層３００は緩衝性能を有する。よって、前記検測回路２００の表面や保護層３００で保護された集積回路チップが過大な圧力を受けるより検測回路２００が損傷されたことを回避する。一実施例において、保護層３００の厚さは１．５ｍｍ〜２ｍｍである。厚さが１．５ｍｍ〜２ｍｍである保護層３００は、検測回路２００を静電損傷から回避するとともに、十分な緩衝性も有する。
【００３６】
好ましくは、集積回路チップをさらに堅固に固定するために、保護層３００と集積回路チップとの間に導電性接着剤は設置される。図４に示された好ましい実施例において、保護層３００に基板１００から離れる表面は粗い表面領域を有する。例えば前記保護層３００が有機物で形成された場合、リソグラフィーによって粗い表面領域またはグリッドを形成されてもよい。一方、保護層３００が無機物で形成された場合、保護層３００をエッチングすることにより粗い表面領域を形成されてもよい。もう一つの実施例において、前記粗い表面領域は、密集で排列した窪み、突起、絡み合った溝、波紋のいずれか一種、または複種の組み合わせであってもよい。さらに前記粗い表面領域は任意的に適切な形状に形成されてもよい。このような構造によれば、集積回路チップの取り付け工程において、集積回路チップの下面と保護層３００の粗い表面領域とが互いに貼付または接着することができる。このように、前記粗い表面領域によって、集積回路チップと保護層３００との間の接着力が増大し、集積回路チップと保護層３００が堅固に接着することができる。
【００３７】
前記粗い表面領域の位置は、検測回路２００における異なる位置での異なる負荷能力によって調整されることができる。例えば、前記粗い表面領域は、保護層３００の外面全体であってもよく、保護層３００の外面の一部の領域であってもよい。好ましくは、前記粗い表面領域は、保護層３００の周縁に配置される。図５に示すように、一実施例において、保護層３００の中央領域は平坦領域３０１であり、周縁部は前記粗い表面領域である。集積回路チップを保護層３００の表面に接着する際に、保護層３００の周縁に導電性接着剤を多めに塗布し、保護層３００の平坦領域３０１に導電性接着剤を少なめに塗布する場合、集積回路チップが適当に固定されるとともに、保護層３００のゲート２３３と対向する中央領域を必要以上に押下されることを回避することができる。このように、薄膜トランジスタ２３０を保護できるとともに、導電性接着剤の使用量も減少できる。
【００３８】
図６に示す実施例において、保護層３００の外面における前記粗い表面領域は波紋状になっている。保護層３００が有機材料で形成される場合、波紋で形成された粗い表面領域は好ましい。これは、波紋の構造は比較的になだらかなので、導電性接着剤の使用量を減らしても集積回路チップと保護層３００とが堅固に接着することができるためである。
【００３９】
一実施例において、検測回路２００は、表示領域５００の回路と電気的に接続されている。検測回路２００の表面を覆う保護層３００は、検測回路２００の腐食や破壊を防ぐことができる。駆動回路基板１０の製造プロセスにおいて、検測回路２００が形成された後に他のプロセスも残っている。保護層３００は、これらの後続プロセスにおいて検測回路２００が擦ったり化学薬品によって腐食されたりすることを回避することができる。これにより、検測回路２００が開路状態にならなく、さらにディスプレー本体の検測プロセスにおいて検測回路の損傷による誤った判断を回避することができる。
【００４０】
保護層３００は、以下のように形成されてもよい。
【００４１】
保護層３００が表示領域５００の平坦層と同じ材料で形成される場合、まず表示領域５００と非表示領域６００上に平坦層を敷設し、その後に平坦層において二つの接続ユニット２１０に対応する部分をエッチングによって除去するという手順で保護層３００を形成することができる。このように、検測回路２００の上方における平坦層は保護層３００になる。保護層３００における粗い表面領域も、エッチングによって形成されることができる。
【００４２】
保護層３００を無機材料で形成する場合、検測回路２００上に無機材料膜層を蒸着することにより保護層３００を形成することができる。
【００４３】
上述した実施例は、本発明のいくつかの実施形態を示したものにすぎず、その記述が具体的かつ詳細であるが、本発明の範囲を限定するものと解釈されるべきではない。なお、当業者にとって、本発明の趣旨から逸脱しないかぎり、若干の変形及び改良を行うことができ、これらもすべて本発明の保護範囲内にある。本発明の保護範囲は、特許請求の範囲に準ずるべきである。
【図１】
2020509406.tif 000003
【図２】
2020509406.tif 000004
【図３】
2020509406.tif 000005
【図４】
2020509406.tif 000006
【図５】
2020509406.tif 000007
【図６】
2020509406.tif 000008
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
基板（１００）と、
前記基板（１００）に設置される検測回路（２００）と、
前記検測回路（２００）を覆うように前記検測回路（２００）の上面に設置される保護層（３００）と、
を含むことを特徴とする駆動回路基板。
【請求項２】
前記保護層（３００）は有機材料で形成され、及び／又は、前記保護層（３００）の上面は粗い表面領域を含むことを特徴とする請求項１に記載の駆動回路基板。
【請求項３】
前記粗い表面領域は、波紋、複数の窪み、複数の突起、絡み合った溝或はグリッドのいずれか一種または複種の組み合わせであることを特徴とする請求項２に記載の駆動回路基板。
【請求項４】
前記保護層（３００）の上面は、前記粗い表面領域に囲まれ当該上面の中央領域に位置する平坦領域（３０１）を含むこと、を特徴とする請求項２に記載の駆動回路基板。
【請求項５】
前記基板（１００）に設置され平坦層を有する表示領域薄膜トランジスタアレイ（４１０）をさらに含み、前記保護層（３００）が当該表示領域薄膜トランジスタアレイ（４１０）と、を一体的に形成されることを特徴とする請求項１〜４のいずれか一項に記載の駆動回路基板。
【請求項６】
前記保護層（３００）は無機材料で形成され、及び／又は、前記基板（１００）に、少なくとも一つの前記検測回路（２００）に隣接する接続ユニット（２１０）が設置されることを特徴とする請求項１〜４のいずれか一項に記載の駆動回路基板。
【請求項７】
前記基板（１００）に、前記保護層（３００）の両側に二つの前記接続ユニット（２１０）が設置されていることを特徴とする請求項６に記載の駆動回路基板。
【請求項８】
前記二つの前記接続ユニット（２１０）は前記保護層（３００）の両側に対称的に設置されていることを特徴とする請求項７に記載の駆動回路基板。
【請求項９】
前記検測回路（２００）と前記接続ユニット（２１０）は前記基板（１００）の非表示領域（６００）に位置されて、前記検測回路（２００）の何れも一方に、前記基板（１００）の非表示領域（６００）の縁から前記接続ユニット（２１０）側までの距離が、前記接続ユニット（２１０）のその他の側から前記保護層（３００）の前記接続ユニット（２１０）に近接する側までの距離に相等することを特徴とする請求項６に記載の駆動回路基板。
【請求項１０】
非表示領域（６００）及び表示領域（５００）を含む基板（１００）と、
前記基板（１００）の前記非表示領域（６００）に設置される検測回路（２００）と、
前記検測回路（２００）を覆うように前記検測回路（２００）の上面に設置される保護層（３００）と、
前記表示領域（５００）に設置される表示領域薄膜トランジスタアレイ（４１０）と、を備える駆動回路基板を含み、
前記検測回路（２００）が前記表示領域薄膜トランジスタアレイ（４１０）に電気的に接続されることを特徴とする表示装置。
【国際調査報告】
2020509406.tif 000009
2020509406.tif 000010
2020509406.tif 000011
2020509406.tif 000012